(57)【要約】【課題】通気性と所望のシールド特性とを有する開口部付きシールド構造を提供する。【解決手段】通気性向上のためにシールド板１上に設けられた所定の面積からなる開口部２に、所望のシールド効果ＳＥが得られるように長辺の長さｘのスロット３をｎ個配置する。この開口部２の構成を、開口部２に長辺の長さＸのスロット３をＮ個配置した場合に得られる基準シールド効果ＳＥ’を基準に用いて、下記式に基づいて決定する。ＳＥ−ＳＥ’≦−２０ｌｏｇ｛（ｎ／Ｎ）（ｘ／Ｘ）5/2｝【選択図】図１
2009212217.tif 000002
【特許請求の範囲】
【請求項１】
電磁波を遮蔽する材料で構成したシールド板と、当該シールド板に複数の矩形状のスロットを当該スロットの長手方向に沿って一列に穿設し、所望の電磁波シールド効果を有する開口部とを備えた開口部付きシールド構造であって、
長さＸの長辺を持つＮ個のスロットを穿設した場合の前記開口部のシールド効果ＳＥ’を基準に用いて、
前記開口部は、前記所望のシールド効果ＳＥを得るために下記の式を満足する長さｘの長辺を有するｎ個のスロットで構成したことを特徴とする開口部付きシールド構造。
ＳＥ−ＳＥ’≦−２０ｌｏｇ｛（ｎ／Ｎ）（ｘ／Ｘ）5/2｝
ＳＥ；所望のシールド効果、
ＳＥ’；基準に用いる開口部が有するシールド効果、
ｘ；所望のシールド効果ＳＥを有する開口部を構成するスロットの長辺の長さ、
Ｘ；シールド効果ＳＥ’を有する開口部を構成するスロットの長辺の長さ、
ｎ；所望のシールド効果ＳＥを有する開口部を構成するスロットの個数、
Ｎ；シールド効果ＳＥ’を有する開口部を構成するスロットの個数。
【発明の詳細な説明】
【技術分野】
【０００１】
この発明は、電子機器を収容するシールド構造体に用いる開口部を備えたシールド構造に関するものである。
【背景技術】
【０００２】
従来の電子部品用シールドカバーは、金属製の筐体によって電磁波を遮断していた。電磁波を遮断する一方、内部に収容した電子部品が発する熱を外部へ放熱する必要もあり、例えば特許文献１にはシールドカバーに穿設した通気のための開口部が開示されている。開口部は複数のスロットを有し、スロットの直径φを、遮断しようとする電磁波の波長λの１／４以下に設定することにより、開口部からの電磁波漏洩を防いで、シールドカバーの電磁波シールド効果の低下を回避していた。
【０００３】
【特許文献１】特開２０００−１３３９８５号公報（第１図）
【発明の開示】
【発明が解決しようとする課題】
【０００４】
従来のシールドカバーは以上のように構成されているので、スロットの寸法および個数と電磁波シールド効果との関係は考慮されておらず、所望のシールド特性を得るための開口部の構造が最適設計できないという課題があった。
【０００５】
例えば、シールド板の所定エリアに設けた開口部について、その開口部を構成するスロットの個数を増加させると、スロット一個当りの寸法の縮小によって電磁波シールド効果は改善する一方、スロット数の増加による電磁波シールド効果の劣化が想定される。また、開口部を構成するスロットの個数を増加させると、開口部一個当りの総開口面積は縮小するため、開口部の通気性は悪化する。シールド特性と通気性とを両立するためには、所望の電磁波シールド効果が得られるスロットの寸法および個数の関係性を明確にする必要がある。
【０００６】
この発明は、上記のような課題を解決するためになされたもので、所望の電磁波シールド効果を得るように開口部を構成するスロットの寸法および個数を考慮して、シールド構造を最適設計することで、通気性と所望のシールド特性とを有する開口部付きシールド構造を提供することを目的とする。
【課題を解決するための手段】
【０００７】
この発明に係る開口部付きシールド構造は、電磁波を遮蔽する材料で構成したシールド板と、シールド板に複数の矩形状のスロットをスロットの長手方向に沿って一列に穿設し、所望の電磁波シールド効果を有する開口部とを備えた開口部付きシールド構造であって、長さＸの長辺を持つＮ個のスロットを穿設した場合の開口部のシールド効果ＳＥ’を基準に用いて、開口部は、所望のシールド効果ＳＥを得るためにＳＥ−ＳＥ’≦−２０ｌｏｇ｛（ｎ／Ｎ）（ｘ／Ｘ）5/2｝を満足する長さｘの長辺を有するｎ個のスロットで構成するようにしたものである。
【発明の効果】
【０００８】
この発明によれば、電磁波を遮蔽する材料で構成したシールド板と、シールド板に複数の矩形状のスロットをスロットの長手方向に沿って一列に穿設し、所望の電磁波シールド効果を有する開口部とを備えた開口部付きシールド構造であって、長さＸの長辺を持つＮ個のスロットを穿設した場合の開口部のシールド効果ＳＥ’を基準に用いて、開口部は、所望のシールド効果ＳＥを得るためにＳＥ−ＳＥ’≦−２０ｌｏｇ｛（ｎ／Ｎ）（ｘ／Ｘ）5/2｝を満足する長さｘの長辺を有するｎ個のスロットで構成するようにしたので、通気性と所望のシールド特性とを有する開口部付きシールド構造を提供することができる。
【発明を実施するための最良の形態】
【０００９】
実施の形態１．
図１は、この発明の実施の形態１に係る開口部付きシールド板を示す外観斜視図である。図１に示すシールド板１は、金属、またはメッキ等の導電処理を施されたプラスチック等で構成される。シールド板１には所定の面積を有する開口部２が設定されている。開口部２は、シールド板１を貫通するように穿設した複数のスロット３で構成され、電磁波シールド効果を有する。以下では、所定の面積で設定された開口部２に穿設するスロット３の寸法および個数を、所望の電磁波シールド効果が得られるように設計する方法について説明する。
【００１０】
図２は、この発明の実施の形態１に係る基準シールド効果を有する開口部の１例を示す説明図である。シールド板の開口部４は、長さＬの長辺を有し、長手方向にＮ個のスロット５が一列に配置されている。各スロット５は長さＸの長辺を有する。このような構成でスロット５が配置された開口部４の電磁波シールド効果を基準シールド効果ＳＥ’［ｄＢ］とする。
【００１１】
図３は、この発明の実施の形態１に係る所望のシールド効果を有する開口部の１例を示す説明図である。シールド板の開口部６は、図２に示す開口部４と同様に、長さＬの長辺を有する。この開口部６には、長辺の長さｘのスロット７が長手方向にｎ個配置されている。このような構成でスロットが配置された開口部６の電磁波シールド効果をシールド効果ＳＥ［ｄＢ］とする。なお、図２および図３において、開口部４，６の各短辺およびスロット５，７のスロット同士の配置間隔の長さは、長辺Ｌの長さと比べて短い。
【００１２】
図３に示す開口部６を設けたシールド板が所望のシールド効果ＳＥを有するように、基準となる図２の開口部４の構成を用いて、下記式（１）に基づき、スロット７の長辺の長さｘおよび個数ｎを決定する。
ＳＥ−ＳＥ’≦−２０ｌｏｇ｛（ｎ／Ｎ）（ｘ／Ｘ）5/2｝      （１）
【００１３】
ここで、ＳＥは開口部６が有する所望のシールド効果、ＳＥ’は開口部４が有する基準シールド効果である。また、ｘは所望のシールド効果ＳＥを有する開口部６を構成する各スロット７の長辺の長さ、Ｘは基準シールド効果ＳＥ’を有する開口部４を構成するスロット５の長辺の長さである。また、ｎは所望のシールド効果ＳＥを有する開口部６を構成するスロット７の個数、Ｎは基準シールド効果ＳＥ’を有する開口部４を構成するスロット６の個数である。
【００１４】
例えば、図２に示す、式（１）中で基準に用いた開口部４について、構成するスロット５の個数Ｎを１個とし、その長辺の長さＸを５０［ｍｍ］とする。このとき、基準シールド効果ＳＥ’は０［ｄＢ］とした。これらの基準となる数値を用いて式（１）に従い、スロット７の個数ｎおよび長辺の長さｘを算出した。以下では、説明を簡略化するために開口部のスロットの構成を（ｘ［ｍｍ］，ｎ）または（Ｘ［ｍｍ］，Ｎ）と表すことにする。
【００１５】
算出の結果、例えば、開口部６が（２４，２）のとき、シールド効果ＳＥ（この例ではＳＥ−ＳＥ’と同一）は２１［ｄＢ］である。また、例えば、開口部６が（１５，３）のとき、シールド効果ＳＥは１７［ｄＢ］であり、（１１，４）のとき、シールド効果ＳＥは１０［ｄＢ］であった。
【００１６】
図４は、この発明の実施の形態１に係るシールド板のシールド効果の実測結果を示すグラフである。上述した式（１）を用いて決定した開口部の各構成（２４，２）、（１５，３）および（１１，４）について、シールド効果をそれぞれ実測した。図４に示すグラフの横軸は電磁波の周波数［ＧＨｚ］を示し、縦軸はシールド効果の比［ｄＢ］を示す。シールド効果の比は、式（１）が示すように開口部（Ｘ，Ｎ）の基準シールド効果ＳＥ’、および開口部（ｘ，ｎ）のシールド効果ＳＥから算出される。
【００１７】
図４において、上述した式（１）を用いて算出した、開口部（２４，２）のシールド効果８、開口部（１５，３）のシールド効果９、および開口部（１１，４）のシールド効果１０をそれぞれ破線で示す。また、実測した、開口部（２４，２）のシールド効果１１、開口部（１５，３）のシールド効果１２、および開口部（１１，４）のシールド効果１３をそれぞれ実線で示す。周波数帯１〜２．５［ＧＨｚ］において、式（１）から算出した各開口部のシールド効果８，９，１０は、実測した各開口部のシールド効果１１，１２，１３の最低値とよく一致している。
【００１８】
従って、図１に示すシールド板１の開口部２が所望のシールド効果ＳＥを得るために、予め測定する等して求めた（Ｘ，Ｎ）の開口部が有する基準シールド効果ＳＥ’に対して、上記式（１）を満足するように、（ｘ，ｎ）のスロット３で開口部２を構成すればよい。図１に示すｎ個のスロット３の配置間隔は等間隔であるが、開口部２に収まれば等間隔以外であってもよく、その場合の配置構成でも得られるシールド効果ＳＥは同じである。
【００１９】
上記式（１）に基づく最適設計により通気性と所望の電磁波シールド効果とを有するシールド板は、電子機器を内部に収容する金属筐体、その金属筐体のつなぎ目等の隙間以外にも、扉の通気口、壁面等に適用できる。
【００２０】
以上のように、実施の形態１によれば、所望のシールド効果が得られるように、上記式（１）に基づきシールド板の構造を最適設計することで、通気性と所望のシールド特性とを有する開口部付きシールド板を得ることが可能となる。
【００２１】
なお、上記実施の形態１では、シールド板１に金属板または導電処理を施したプラスチック板を用いるように構成したが、開口部付きシールド構造を適用する部材は板状部材に限定されるものではなく、例えば導電性樹脂によるシート状部材に開口部付きシールド構造を適用してもよい。
【図面の簡単な説明】
【００２２】
【図１】この発明の実施の形態１に係る開口部付きシールド板を示す外観斜視図である。
【図２】この発明の実施の形態１に係るシールド板の基準シールド効果を有する開口部の１例を示す説明図である。
【図３】この発明の実施の形態１に係るシールド板の所望のシールド効果を有する開口部の１例を示す説明図である。
【図４】この発明の実施の形態１に係るシールド板のシールド効果の実測結果を示すグラフである。
【符号の説明】
【００２３】
１  シールド板、２，４，６  開口部、３，５，７  スロット、８  長辺の長さ２４［ｍｍ］のスロット７を２個穿設した場合のシールド効果、９  長辺の長さ１５［ｍｍ］のスロット７を３個穿設した場合のシールド効果、１０  長辺の長さ１１［ｍｍ］のスロット７を４個穿設した場合のシールド効果、１１  ２個のスロットを穿設したシールド板のシールド効果、１２  ３個のスロットを穿設したシールド板のシールド効果、１３  ４個のスロットを穿設したシールド板のシールド効果。
【図１】
2009212217.tif 000003
【図２】
2009212217.tif 000004
【図３】
2009212217.tif 000005
【図４】
2009212217.tif 000006